(57)【特許請求の範囲】
【請求項１】
供血者より血液を採取する採血針（８）と、
前記採取された血液を収納する採血バッグ（４）と、
前記採取された血液を前記採血バッグ（４）へ導入する第１採血チューブ（Ｔ１．１）及び第２採血チューブ（Ｔ１．２）と、
前記採取された血液の初流を除去する初流血液チューブ（Ｔ２）と、
採血初流除去バッグ（Ｂ）とを有し、
前記第１採血チューブ（Ｔ１．１）、第２採血チューブ（Ｔ１．２）及び前記初流血液チューブ（Ｔ２）は、前記採血針（８）からみて、前記採血針（８）に近い側の第１端部と前記採血針（８）に遠い側の第２端部とを有し、
前記第１採血チューブ（Ｔ１．１）は、第１端部を前記採血針（８）に接続し、
前記第２採血チューブ（Ｔ１．２）は、第２端部を前記採血バッグ（４）に接続し、
前記第１採血チューブ（Ｔ１．１）と前記第２採血チューブ（Ｔ１．２）との間に、スライド式流路切替手段（６０、６０Ｅ）を配置し、当該スライド式流路切替手段（６０、６０Ｅ）に前記初流血液チューブ（Ｔ２）の第１端部を接続し、
当該初流血液チューブ（Ｔ２）の第２端部は、採血初流除去バッグ（Ｂ）に接続し、
前記スライド式流路切替手段（６０、６０Ｅ）は、外筒（６１）と内筒（６２）とを有し、前記外筒（６１）と前記内筒（６２）は、長手方向と当該長手方向と略垂直に交わる側部方向を有し、
前記長手方向は、上部方向である第１長手方向と、下部方向である第２長手方向とを有し、
前記外筒（６１）は、側部方向に三つの分岐管（６３、６４、６５）を有し、当該三つの分岐管（６３、６４、６５）は、それぞれ開口部（６３ａ、６４ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、第１長手方向から第２長手方向にみて、
第二番目のパッキングと第三番目のパッキングとの間に、液体流路（６２ａ）を形成するか、または第一番目のパッキングと第二番目のパッキングとの間に、液体流路（６２ａ）を形成し、
前記内筒（６２）を前記外筒（６１）内に、第１長手方向にスライドし、さらに側部方向に回動できるように装着し、
前記外筒（６１）の三つの分岐管（６３、６４、６５）は、それぞれ第一分岐管（６３）、第二分岐管（６４）及び第三分岐管（６５）であり、
前記第一分岐管（６３）に、前記第２採血チューブ（Ｔ１．２）の第１端部を接続し、
前記第二分岐管（６４）に、前記第１採血チューブ（Ｔ１．１）の第２端部を接続し、
前記第三分岐管（６５）に、前記初流血液チューブ（Ｔ２）の第１端部を接続し、
前記スライド式流路切替手段（６０、６０Ｅ）の内筒（６２）と外筒（６１）を、第１長手方向にスライドし、さらに側部方向に回動することにより、
前記内筒（６２）の液体流路（６２ａ）と、前記採血針（８）側の第１採血チューブ（Ｔ１．１）、前記採血バッグ（４）側の第２採血チューブ（Ｔ１．２）及び前記初流血液チューブ（Ｔ２）との液体流路の開閉を調整できるようにし、
前記外筒（６１）の第２長手方向でかつ、側部方向に係合部（６１ｂ）を形成し、 
前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した、
ことを特徴とする採血器具（１）。
【請求項２】
前記請求項１に記載の採血器具（１）の前記スライド式流路切替手段（６０、６０Ｅ）に代えて、
スライド式流路切替手段（６０Ａ、６０Ｂ、６０Ｆ）を装着し、
当該スライド式流路切替手段（６０Ａ、６０Ｂ、６０Ｆ）は、外筒（６１）と内筒（６２）とを有し、前記外筒（６１）と前記内筒（６２）は、長手方向と当該長手方向と略垂直に交わる側部方向を有し、前記長手方向は、上部方向である第１長手方向と、下部方向である第２長手方向とを有し、
前記外筒（６１）は、側部方向に二つの分岐管（６３、６５）を有し、当該二つの分岐管（６３、６５）は、それぞれ開口部（６３ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、当該内筒（６２）内部の長手方向に沿って、液体流路（６２ｃ）を形成し、
前記内筒（６２）は、第１長手方向または第２長手方向に分岐管（６４）を形成し、
前記内筒（６２）を前記外筒（６１）内に、第１長手方向にスライドし、さらに側部方向に回動できるように装着し、
前記外筒（６１）の二つの分岐管（６３、６５）は、第一分岐管（６３）及び第三分岐管（６５）であり、前記内筒（６２）の分岐管（６４）は、第二分岐管（６３）であり、
前記第一分岐管（６３）に、前記第２採血チューブ（Ｔ１．２）の第１端部を接続し、
前記第二分岐管（６４）に、前記第１採血チューブ（Ｔ１．１）の第２端部を接続し、
前記第三分岐管（６５）に、前記初流血液チューブ（Ｔ２）の第１端部を接続し、
前記スライド式流路切替手段（６０Ａ、６０Ｂ、６０Ｆ）の内筒（６２）と外筒（６１）を、第１長手方向にスライドし、さらに側部方向に回動することにより、
前記内筒（６２）の液体流路（６２ｃ）と、前記採血針（８）側の第１採血チューブ（Ｔ１．１）、前記採血バッグ（４）側の第２採血チューブ（Ｔ１．２）及び前記初流血液チューブ（Ｔ２）との液体流路の開閉を調整できるように形成し、
前記外筒（６１）の第２長手方向でかつ、側部方向に係合部（６１ｂ）を形成し、前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した、
ことを特徴とする採血器具（１）。
【請求項３】
スライド式流路切替手段（６０、６０Ｅ）は、外筒（６１）と内筒（６２）とを有し、前記外筒（６１）と前記内筒（６２）は、長手方向と当該長手方向と略垂直に交わる側部方向を有し、
前記長手方向は、上部方向である第１長手方向と、下部方向である第２長手方向とを有し、
前記外筒（６１）は、側部方向に三つの分岐管（６３、６４、６５）を有し、当該三つの分岐管（６３、６４、６５）は、それぞれ開口部（６３ａ、６４ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、第１長手方向から第２長手方向にみて、
第二番目のパッキングと第三番目のパッキングとの間に、液体流路（６２ａ）を形成するか、または第一番目のパッキングと第二番目のパッキングとの間に、液体流路（６２ａ）を形成し、
前記内筒（６２）を前記外筒（６１）内に、第１長手方向にスライドし、さらに側部方向に回動できるように装着し、
前記外筒（６１）の三つの分岐管（６３、６４、６５）は、それぞれ第一分岐管（６３）、第二分岐管（６４）及び第三分岐管（６５）であり、
前記第一分岐管（６３）に、第一チューブを接続し、
前記第二分岐管（６４）に、第二チューブを接続し、
前記第三分岐管（６５）に、第三チューブを接続し、
前記内筒（６２）と前記外筒（６１）を、前記内筒（６２）と前記外筒（６１）を、前記のように第１長手方向にスライドし、さらに側部方向に回動することにより、
前記内筒（６２）の液体流路（６２ａ）と、前記第一チューブ、前記第二チューブ及び前記第三チューブの液体流路の開閉を調整できるようにし、
前記外筒（６１）の第２長手方向でかつ、側部方向に係合部（６１ｂ）を形成し、  
前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した、
ことを特徴とするスライド式流路切替手段（６０、６０Ｅ）。
【請求項４】
スライド式流路切替手段（６０Ａ、６０Ｂ、６０Ｆ）は、外筒（６１）と内筒（６２）とを有し、前記外筒（６１）と前記内筒（６２）は、長手方向と当該長手方向と略垂直に交わる側部方向を有し、前記長手方向は、上部方向である第１長手方向と、下部方向である第２長手方向とを有し、
前記外筒（６１）は、側部方向に二つの分岐管（６３、６５）を有し、当該二つの分岐管（６３、６５）は、それぞれ開口部（６３ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、当該内筒（６２）内部の長手方向に沿って、液体流路（６２ｃ）を形成し、
前記内筒（６２）は、第１長手方向または第２長手方向に分岐管（６４）を形成し、
前記内筒（６２）を前記外筒（６１）内に、第１長手方向にスライドし、さらに側部方向に回動できるように装着し、
前記外筒（６１）の二つの分岐管（６３、６５）は、第一分岐管（６３）及び第三分岐管（６５）であり、  前記内筒（６２）の分岐管（６４）は、第二分岐管（６３）であり、
前記第一分岐管（６３）に、第一チューブを接続し、
前記第二分岐管（６４）に、第二チューブを接続し、
前記第三分岐管（６５）に、第三チューブを接続し、
前記内筒（６２）と前記外筒（６１）を、前記のように第１長手方向にスライドし、さらに側部方向に回動することにより、前記内筒（６２）の液体流路（６２ｃ）と、前記第一チューブ、前記第二チューブ及び前記第三チューブの液体流路の開閉を調整できるようにし、
前記外筒（６１）の第２長手方向でかつ、側部方向に係合部（６１ｂ）を形成し、前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した、
ことを特徴とするスライド式流路切替手段（６０Ａ、６０Ｂ、６０Ｆ）。
【発明の詳細な説明】
【技術分野】
【０００１】
本発明は、初流血液を採取するとともに、検査用血液の採取を容易に行うことのできる採血器具とスライド式流路切替手段に関する。スライド式流路切替手段は、採血器具以外の医療分野、その他の一般産業分野にも利用できる。
【背景技術】
【０００２】
採血針から採取した血液を血液バッグに導入する際、供血者の穿刺位置をアルコール等で消毒を行うが、消毒を行なっても、皮膚や皮下に存在する細菌が採取した血液の中に混入することがある。
混入した細菌は、細菌の種類によっては、血液バッグを保存している間にも増殖し、細菌の増殖に気づくことなく輸血などに用いられると輸血された患者に感染症などを引き起こし、重篤な事態となるおそれもある。
そこで、採取された血液の細菌汚染防止を図ることができるように、特に採血時の初流の血液を除去するシステムが発明されるようになった。
【０００３】
特許文献１から特許文献４には、血液を採取する採血針と、採取された血液を収納する採血バッグと、一方端が採血バッグに他方端が採血針にそれぞれ連通し、採取された血液を採血バッグへ導入する第１の流路（採血チューブ）と、分岐部を介して第１の流路から分岐し、末端に血液の取り出し口を有する第２の流路（初流血液チューブ）を有し、分岐部と採血バッグの間の第１の流路（採血チューブ）に、流路用封止手段（外付けのクランプ、破断すると流路が開通する封止部材）を装着した採血用器具の発明が開示されている。
【０００４】
中でも特許文献２と特許文献３は、第１の流路（採血チューブ）の流路用封止手段として、外付けのクランプを使用した場合、作業者のクランプの閉め忘れ、これに伴う採血バッグへの採血初流の混入を確実に防止するために、流路用封止手段として、破断すると流路が開通する封止部材を使用するのが良いと明記されている。
【０００５】
特許文献１から特許文献４の発明では、（１）初流血液の採血初流除去バッグ等へ採血、（２）第２の流路（初流血液チューブ）のクランプ等による閉塞、（３）採血バッグへ至る第１の流路（採血チューブ）の解放（外付けのクランプ、破断すると流路が開通する封止部材等）、（４）採血終了後の第１の流路（採血チューブ）の閉塞（クランプをかける）等の作業が必要であった。（１）から（４）の作業手順では、（２）閉塞、（３）解放の順番を間違えることが懸念され、順番を間違えると製剤の無菌保証が低下し、閉塞までの操作が遅くなるため採血初流除去バッグ等への採血が過量になる懸念がある。
また特許文献２と特許文献３のように、分岐部と採血バッグの間の第１の流路（採血チューブ）に、破断すると流路が開通する封止部材を装着する手段では、（１）破断が速やかにできないとか、封止部材の破断片が発生したりする懸念がある。（２）第１の流路（採血チューブ）内に配置するため、第１の流路（採血チューブ）と異なる管状部材内に配置して、第１の流路（採血チューブ）に接続しないといけないので、構成が複雑になる。
【０００６】
【特許文献１】特許３３６１４４０（特許請求の範囲、図１、９、１０）
【特許文献２】特許３７７６２２７（特許請求の範囲、図１、２、１１から１３）
【特許文献３】特許３８１３９７４（特許請求の範囲、図１、２、５）
【特許文献４】特開２００１−１７５３９（特許請求の範囲、図１）
【発明の開示】
【発明が解決しようとする課題】
【０００７】
本発明が解決しようとする問題点は、特許文献１から特許文献４の（１）から（４）の作業手順では、（２）閉塞、（３）解放の順番を間違えることが懸念され、作業者の操作ミスを防止できない懸念がある点である。
また特許文献２、３のように、破断すると流路が開通する封止部材を装着する手段では、（１）破断が速やかにできないとか、封止部材の破断片が発生したりする懸念がある。（２）第１の流路（採血チューブ）の構成が複雑になる等の点である。
【課題を解決するための手段】
【０００８】
［１］
本発明は、
供血者より血液を採取する採血針（８）と、
前記採取された血液を収納する採血バッグ（４）と、
前記採取された血液を前記採血バッグ（４）へ導入する第１採血チューブ（Ｔ１．１）及び第２採血チューブ（Ｔ１．２）と、
前記採取された血液の初流を除去する初流血液チューブ（Ｔ２）と、
採血初流除去バッグ（Ｂ）とを有し、
前記第１採血チューブ（Ｔ１．１）、第２採血チューブ（Ｔ１．２）及び前記初流血液チューブ（Ｔ２）は、前記採血針（８）からみて、前記採血針（８）に近い側の第１端部と前記採血針（８）に遠い側の第２端部とを有し、
前記第１採血チューブ（Ｔ１．１）は、第１端部を前記採血針（８）に接続し、
前記第２採血チューブ（Ｔ１．２）は、第２端部を前記採血バッグ（４）に接続し、
前記第１採血チューブ（Ｔ１．１）と前記第２採血チューブ（Ｔ１．２）との間に、スライド式流路切替手段（６０、６０Ｅ）を配置し、当該スライド式流路切替手段（６０、６０Ｅ）に前記初流血液チューブ（Ｔ２）の第１端部を接続し、
当該初流血液チューブ（Ｔ２）の第２端部は、採血初流除去バッグ（Ｂ）に接続し、
前記スライド式流路切替手段（６０、６０Ｅ）は、外筒（６１）と内筒（６２）とを有し、前記外筒（６１）と前記内筒（６２）は、長手方向と当該長手方向と略垂直に交わる側部方向を有し、
前記長手方向は、上部方向である第１長手方向と、下部方向である第２長手方向とを有し、
前記外筒（６１）は、側部方向に三つの分岐管（６３、６４、６５）を有し、当該三つの分岐管（６３、６４、６５）は、それぞれ開口部（６３ａ、６４ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、第１長手方向から第２長手方向にみて、
第二番目のパッキングと第三番目のパッキングとの間に、液体流路（６２ａ）を形成するか、または第一番目のパッキングと第二番目のパッキングとの間に、液体流路（６２ａ）を形成し、
前記内筒（６２）を前記外筒（６１）内に、第１長手方向にスライドし、さらに側部方向に回動できるように装着し、
前記外筒（６１）の三つの分岐管（６３、６４、６５）は、それぞれ第一分岐管（６３）、第二分岐管（６４）及び第三分岐管（６５）であり、
前記第一分岐管（６３）に、前記第２採血チューブ（Ｔ１．２）の第１端部を接続し、
前記第二分岐管（６４）に、前記第１採血チューブ（Ｔ１．１）の第２端部を接続し、
前記第三分岐管（６５）に、前記初流血液チューブ（Ｔ２）の第１端部を接続し、
前記スライド式流路切替手段（６０、６０Ｅ）の内筒（６２）と外筒（６１）を、第１長手方向にスライドし、さらに側部方向に回動することにより、
前記内筒（６２）の液体流路（６２ａ）と、前記採血針（８）側の第１採血チューブ（Ｔ１．１）、前記採血バッグ（４）側の第２採血チューブ（Ｔ１．２）及び前記初流血液チューブ（Ｔ２）との液体流路の開閉を調整できるようにし、
前記外筒（６１）の第２長手方向でかつ、側部方向に係合部（６１ｂ）を形成し、 
前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した採血器具（１）を提供する。
【０００９】
［２］本発明は、
前記［１］に記載の採血器具（１）の前記スライド式流路切替手段（６０、６０Ｅ）に代えて、
スライド式流路切替手段（６０Ａ、６０Ｂ、６０Ｆ）を装着し、
当該スライド式流路切替手段（６０Ａ、６０Ｂ、６０Ｆ）は、外筒（６１）と内筒（６２）とを有し、前記外筒（６１）と前記内筒（６２）は、長手方向と当該長手方向と略垂直に交わる側部方向を有し、前記長手方向は、上部方向である第１長手方向と、下部方向である第２長手方向とを有し、
前記外筒（６１）は、側部方向に二つの分岐管（６３、６５）を有し、当該二つの分岐管（６３、６５）は、それぞれ開口部（６３ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、当該内筒（６２）内部の長手方向に沿って、液体流路（６２ｃ）を形成し、
前記内筒（６２）は、第１長手方向または第２長手方向に分岐管（６４）を形成し、
前記内筒（６２）を前記外筒（６１）内に、第１長手方向にスライドし、さらに側部方向に回動できるように装着し、
前記外筒（６１）の二つの分岐管（６３、６５）は、第一分岐管（６３）及び第三分岐管（６５）であり、前記内筒（６２）の分岐管（６４）は、第二分岐管（６３）であり、
前記第一分岐管（６３）に、前記第２採血チューブ（Ｔ１．２）の第１端部を接続し、
前記第二分岐管（６４）に、前記第１採血チューブ（Ｔ１．１）の第２端部を接続し、
前記第三分岐管（６５）に、前記初流血液チューブ（Ｔ２）の第１端部を接続し、
前記スライド式流路切替手段（６０Ａ、６０Ｂ、６０Ｆ）の内筒（６２）と外筒（６１）を、第１長手方向にスライドし、さらに側部方向に回動することにより、
前記内筒（６２）の液体流路（６２ｃ）と、前記採血針（８）側の第１採血チューブ（Ｔ１．１）、前記採血バッグ（４）側の第２採血チューブ（Ｔ１．２）及び前記初流血液チューブ（Ｔ２）との液体流路の開閉を調整できるように形成し、
前記外筒（６１）の第２長手方向でかつ、側部方向に係合部（６１ｂ）を形成し、前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成した採血器具（１）を提供する。
【００１１】
［３］本発明は、
スライド式流路切替手段（６０、６０Ｅ）は、外筒（６１）と内筒（６２）とを有し、前記外筒（６１）と前記内筒（６２）は、長手方向と当該長手方向と略垂直に交わる側部方向を有し、
前記長手方向は、上部方向である第１長手方向と、下部方向である第２長手方向とを有し、
前記外筒（６１）は、側部方向に三つの分岐管（６３、６４、６５）を有し、当該三つの分岐管（６３、６４、６５）は、それぞれ開口部（６３ａ、６４ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、第１長手方向から第２長手方向にみて、
第二番目のパッキングと第三番目のパッキングとの間に、液体流路（６２ａ）を形成するか、または第一番目のパッキングと第二番目のパッキングとの間に、液体流路（６２ａ）を形成し、
前記内筒（６２）を前記外筒（６１）内に、第１長手方向にスライドし、さらに側部方向に回動できるように装着し、
前記外筒（６１）の三つの分岐管（６３、６４、６５）は、それぞれ第一分岐管（６３）、第二分岐管（６４）及び第三分岐管（６５）であり、
前記第一分岐管（６３）に、第一チューブを接続し、
前記第二分岐管（６４）に、第二チューブを接続し、
前記第三分岐管（６５）に、第三チューブを接続し、
前記内筒（６２）と前記外筒（６１）を、前記内筒（６２）と前記外筒（６１）を、前記のように第１長手方向にスライドし、さらに側部方向に回動することにより、
前記内筒（６２）の液体流路（６２ａ）と、前記第一チューブ、前記第二チューブ及び前記第三チューブの液体流路の開閉を調整できるようにし、
前記外筒（６１）の第２長手方向でかつ、側部方向に係合部（６１ｂ）を形成し、  
前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成したスライド式流路切替手段（６０、６０Ｅ）を提供する。
【００１２】
［４］ 本発明は、
スライド式流路切替手段（６０Ａ、６０Ｂ、６０Ｆ）は、外筒（６１）と内筒（６２）とを有し、前記外筒（６１）と前記内筒（６２）は、長手方向と当該長手方向と略垂直に交わる側部方向を有し、前記長手方向は、上部方向である第１長手方向と、下部方向である第２長手方向とを有し、
前記外筒（６１）は、側部方向に二つの分岐管（６３、６５）を有し、当該二つの分岐管（６３、６５）は、それぞれ開口部（６３ａ、６５ａ）により、当該外筒（６１）の内部と連通し、
前記内筒（６２）は、第１長手方向から第２長手方向に沿って、側部方向に、少なくとも三つのパッキングを装着し、
前記内筒（６２）は、当該内筒（６２）内部の長手方向に沿って、液体流路（６２ｃ）を形成し、
前記内筒（６２）は、第１長手方向または第２長手方向に分岐管（６４）を形成し、
前記内筒（６２）を前記外筒（６１）内に、第１長手方向にスライドし、さらに側部方向に回動できるように装着し、
前記外筒（６１）の二つの分岐管（６３、６５）は、第一分岐管（６３）及び第三分岐管（６５）であり、  前記内筒（６２）の分岐管（６４）は、第二分岐管（６３）であり、
前記第一分岐管（６３）に、第一チューブを接続し、
前記第二分岐管（６４）に、第二チューブを接続し、
前記第三分岐管（６５）に、第三チューブを接続し、
前記内筒（６２）と前記外筒（６１）を、前記のように第１長手方向にスライドし、さらに側部方向に回動することにより、前記内筒（６２）の液体流路（６２ｃ）と、前記第一チューブ、前記第二チューブ及び前記第三チューブの液体流路の開閉を調整できるようにし、
前記外筒（６１）の第２長手方向でかつ、側部方向に係合部（６１ｂ）を形成し、前記内筒（６２）の第２長手方向でかつ、側部方向に係合部（６２ｂ）を形成し、
前記内筒（６２）を側部方向に回動したときに、
前記外筒（６１）の係合部（６１ｂ）と、前記内筒（６２）の係合部（６２ｂ）を係合できるように形成し、
前記外筒（６１）の係合部（６１ｂ）と前記内筒（６２）の係合部（６２ｂ）とは、溝と凸部により係合できるように形成したスライド式流路切替手段（６０Ａ、６０Ｂ、６０Ｆ）を提供する。
【発明の効果】
【００１４】
本発明の採血器具は、特許文献１から特許文献４に記載の分岐部を、流路切替手段Ｖ［スライド式流路切替手段（６０、６０Ａ、６０Ｂ、６０Ｃ、６０Ｄ、６０Ｅ、６０Ｆ）］とし、当該流路切替手段Ｖ［スライド式流路切替手段（６０、６０Ａ、６０Ｂ、６０Ｃ、６０Ｄ、６０Ｅ、６０Ｆ）］に、特許文献１から特許文献４に記載の流路用封止手段（外付けのクランプ、破断すると流路が開通する封止部材等）の機能を付与したので、
（１）作業者のクランプの閉め忘れ、これに伴う採血バッグへの採血初流の混入や、破断が速やかにできないとか、封止部材の破断片が発生したりする懸念が解消できる。
（２）第１の流路（採血チューブ）の構造も簡略化できる。
（３）また特許文献１から特許文献４に記載の発明では、初流血液の採取から血液の採取に移行する時、第２の流路（初流血液チューブ）を流路用封止手段（外付けのクランプ）で閉塞し、さらに第１の流路（採血チューブ）の流路用封止手段（外付けのクランプ）を開放する等、二ステップの操作が必要であるが、本発明は、流路切替手段Ｖを切り替えるのみで済むので、これらの操作がワンステップで容易となるとともにどちらかの操作を忘れる等の操作ミスを防止できる。
【００１５】
（４）また特許文献１から特許文献４に記載の発明では、第１の流路（採血チューブ）と第２の流路（初流血液チューブ）に、複数の流路用封止手段（外付けのクランプ、破断すると流路が開通する封止部材）を装着する旨が記載されているが、本発明では、これらの流路用封止手段を、全て廃止し、一つの流路切替手段Ｖで、複数の流路用封止手段の役割を代替することができる。
（５）操作する部分が一か所なので操作が単純化され操作ミスが減る。
（６）すべての操作を片手で行うことができる（特許文献２、３の破断すると流路が開通する封止部材は両手が必要）。
（７）特許文献１から４の複数の流路用封止手段（外付けのクランプ、破断すると流路が開通する封止部材）と分岐管の働きを一つの部品にまとめるため組立工数が減り、製品全体がシンプルになる。
また本発明のスライド式流路切替手段は、
（８）内筒６２を外筒６１内へスライド、またはスライドしさらに回動して挿入すると、内筒６２の外周は、すべて外筒６１に覆われるため、内筒６２を外筒６１から抜き取る方向への操作を禁止できる。これにより、いったん閉塞した通路が再び開放されることを防止することができる。
【発明を実施するための最良の形態】
【００１６】
図１は、本発明の採血器具１の概略図、図２から図１８は、流路切替手段Ｖの一例とその使用例を示す概略図である。
［採血器具１］
本発明の採血器具１は、図１に例示するように、供血者より血液を採取する採血針８と、採取された血液を収納する採血バッグ４と、一方端が前記採血バッグ４に他方端が前記採血針８にそれぞれ連通し、前記採取された血液を前記採血バッグ４へ導入する採血チューブＴ１（第１採血チューブＴ１.１と第２採血チューブＴ１.２とを含む）と、当該採血チューブＴ１から分岐し、前記採取された血液の初流を除去する初流血液チューブＴ２とを有する。
採血器具１は、前記採血チューブＴ１の途中に、当該採血チューブＴ１と前記初流血液チューブＴ２の流路切替手段Ｖを配置し、当該流路切替手段Ｖに、初流血液チューブＴ２の端部を接続している。
【００１７】
さらに詳述すれば、採血器具１は、例えば図１に示すように、採血バッグ４、採血初流除去セット２、血液フィルタ３、第１子バッグ５、第２子バッグ６及び赤血球保存液入バッグ７から構成される。
採血バッグ４の上流には、採血チューブＴ１を接続している。採血チューブＴ１には、先端（上流）からその途中にわたって、採血針８、流路切替手段Ｖを接続・配置している。流路切替手段Ｖには、初流血液導入チューブＴ２を介して採血初流除去セット２を接続している。
さらに採血バッグ４の下流には、連結チューブＴ３を介して血液フィルタ３及び第１子バッグ５を接続している。さらに第１子バッグ５は、連結チューブＴ４、接続管１３、連結チューブＴ５、Ｔ６を介して、第２子バッグ６、赤血球保存液入バッグ７を接続している。
採血バッグ４及び赤血球保存液入りバッグ７には、採血時または輸血保存時における血液の凝固の防止または保存のために、例えばＡＣＤ液、ＣＰＤ液、ＭＡＰ液のような抗凝固剤または赤血球保存液を収納している。
採血初流除去バッグＢ及び採血バッグ４のバッグ類を構成する材料として、例えばポリ塩化ビニル、ポリオレフィン等の可撓性合成樹脂が用いられる。
【００１８】
さらに、図１を参照にして詳述する。
採血器具１は、供血者より血液を採取する採血針８と、前記採取された血液を収納する採血バッグ４と、前記採取された血液を前記採血バッグ４へ導入する第１採血チューブＴ１．１及び第２採血チューブＴ１．２と、前記採取された血液の初流を除去する初流血液チューブＴ２と、採血初流除去バッグＢとを有する。
前記第１採血チューブＴ１．１、第２採血チューブＴ１．２及び前記初流血液チューブＴ２は、前記採血針８からみて、前記採血針８に近い側の第１端部と前記採血針８に遠い側の第２端部とを有する。
前記第１採血チューブＴ１．１は、第１端部を前記採血針８に接続し、前記第２採血チューブＴ１．２は、第２端部を前記採血バッグ４に接続している。
前記第１採血チューブＴ１．１と前記第２採血チューブＴ１．２との間に流路切替手段Ｖを配置し、当該流路切替手段Ｖに前記初流血液チューブＴ２の第１端部を接続している。
当該初流血液チューブＴ２の第２端部は、採血初流除去バッグＢに接続している。
【００１９】
［流路切替手段Ｖ］
本発明に使用する「流路切替手段Ｖ」は、初流血液を、採血針８から第１採血チューブＴ１．１、流路切替手段Ｖを経て、初流血液チューブＴ２へ流す時は、採血バッグ４側の第２採血チューブＴ１．２の流路を遮断する。また初流血液採取後の血液を、採血針８から第１採血チューブＴ１．１、流路切替手段Ｖを経て、第２採血チューブＴ１．２を経て採血バッグ４へ採取する時は、初流血液チューブＴ２の流路を遮断する。
【００２０】
本発明に使用する流路切替手段Ｖの一例として、例えば図２から図１８に例示するスライド式流路切替手段（６０、６０Ａ、６０Ｂ、６０Ｃ、６０Ｄ、６０Ｅ、６０Ｆ）が挙げられる。
スライド式流路切替手段（６０、６０Ａ、６０Ｂ、６０Ｃ、６０Ｄ、６０Ｅ、６０Ｆ）は、７つの実施形態を含む。すなわち、
実施形態１として、図２〜６のスライド式流路切替手段６０、
実施形態２として、図７〜８のスライド式流路切替手段６０Ａ、
実施形態３として、図９〜１０のスライド式流路切替手段６０Ｂ、
実施形態４として、図１１〜１２のスライド式流路切替手段６０Ｃ、
実施形態５として、図１３〜１４（スライド式流路切替手段６０Ｄ、
実施形態６として、図１５〜１６（スライド式流路切替手段６０Ｅ、
実施形態７として、図１７〜１８（スライド式流路切替手段６０Ｆである。
【００２１】
以上の７つの実施形態のスライド式流路切替手段（６０、６０Ａ、６０Ｂ、６０Ｃ、６０Ｄ、６０Ｅ、６０Ｆ）は、外筒６１と内筒６２とを有する。
前記外筒６１と前記内筒６２は、長手方向と当該長手方向と略垂直に交わる側部方向とを有する。側部方向は、外周方向という場合もある。
前記長手方向は、第１長手方向と、第２長手方向とを有する。例えば図２の例を挙げれば、第１長手方向は、上部（方向）を意味する。第１長手方向は、上部（方向）という場合もある。第２長手方向は、下部（方向）を意味する。第２長手方向は、下部（方向）という場合もある。
前記側部方向は、以下、本発明の説明の便宜上、第１側部方向、第２側部方向、第３側部方向、及び第４側部方向等の具体的な方向も指定して説明する。
例えば図２の縦断面図と図５、図６の各斜視図の例を挙げれば、第１側部方向は、図面の右側方向を意味する。第２側部方向は、図面の左側方向を意味する。第３側部方向は、図面の正面方向を意味する。第４側部方向は、図面の背面方向を意味する。
以上の７つの実施形態のスライド式流路切替手段（６０、６０Ａ、６０Ｂ、６０Ｃ、６０Ｄ、６０Ｅ、６０Ｆ）は、第１グループ形態のスライド式流路切替手段と第２グループ形態のスライド式流路切替手段に分類できる。
【００２２】
［第１グループ形態のスライド式流路切替手段（６０、６０Ｄ、６０Ｅ）］
第１グループ形態のスライド式流路切替手段は、実施形態１：図２〜６のスライド式流路切替手段６０、実施形態５：図１３〜１４のスライド式流路切替手段６０Ｄ、実施形態６：
図１５〜１６のスライド式流路切替手段６０Ｅである。
スライド式流路切替手段（６０、６０Ｄ、６０Ｅ）においては、
前記外筒６１は、側部方向に三つの分岐管（６３、６４、６５）を有し、当該三つの分岐管（６３、６４、６５）は、それぞれ開口部（６３ａ、６４ａ、６５ａ）により、当該外筒（６１）の内部と連通する。
【００２３】
前記内筒６２は、第１長手方向から第２長手方向に沿って、側部方向に少なくとも三つのパッキングを装着している。
前記内筒６２は、第１長手方向から第２長手方向に順番にみて、第二番目のパッキングと第三番目のパッキングとの間に、液体流路６２ａを形成［図２〜６参照］している。
または第一番目のパッキングと第二番目のパッキングとの間に、液体流路６２ａを形成［１３〜１４、１５〜１６参照］している。
前記内筒６２を前記外筒６１内に、第１長手方向にスライドできるように装着［図１３〜１４参照］するか、または
第１長手方向にスライドし、さらに側部方向に回動できるように装着［図２〜６、図１５〜１６参照］している。
前記内筒６２と前記外筒６１を、前記のようにスライド、またはスライドし、さらに回動することにより、前記内筒６２の液体流路６２ａと、前記採血針８側の第１採血チューブＴ１．１、前記採血バッグ４側の第２採血チューブＴ１．２及び前記初流血液チューブＴ２の液体流路の開閉を調整できる。
【００２４】
［第２グループ形態のスライド式流路切替手段（６０Ａ、６０Ｂ、６０Ｃ、６０Ｆ）］
第２グループのスライド式流路切替手段（６０Ａ、６０Ｂ、６０Ｃ、６０Ｆ）は、
実施形態２：図７〜８のスライド式流路切替手段６０Ａ、実施形態３：図９〜１０のスライド式流路切替手段６０Ｂ、実施形態４：図１１〜１２のスライド式流路切替手段６０Ｃ、
実施形態７：図１７〜１８のスライド式流路切替手段６０Ｆである。
第２発明グループのスライド式流路切替手段（６０Ａ、６０Ｂ、６０Ｃ、６０Ｆ）においては、前記外筒６１は、側部方向に二つの分岐管（６３、６５）を有し、当該二つの分岐管（６３、６５）は、それぞれ開口部（６３ａ、６５ａ）により、当該外筒（６１）の内部と連通している。
前記内筒６２は、第１長手方向から第２長手方向に沿って、側部方向に、少なくとも三つのパッキングを装着している。
前記内筒６２は、当該内筒６２内部の長手方向に沿って、液体流路６２ｃを形成している。
前記内筒６２は、第１長手方向または第２長手方向に分岐管６４を形成している。
【００２５】
前記内筒６２は、前記外筒６１内に、第１長手方向にスライドできるように装着［図９〜１３参照］するか、または
第１長手方向にスライドし、さらに側部方向に回動できるように装着［図７〜８、図１７〜１８参照］している。
前記内筒６２と前記外筒６１を、前記のようにスライド、またはスライドし、さらに回動することにより、前記内筒６２の液体流路６２ｃと、前記採血針８側の第１採血チューブＴ１．１、前記採血バッグ４側の第２採血チューブＴ１．２及び前記初流血液チューブＴ２との液体流路の開閉を調整できる。
【００２６】
第１グループ形態のスライド式流路切替手段（６０、６０Ｄ、６０Ｅ）の前記外筒６１の三つの分岐管（６３、６４、６５）は、それぞれ、
第一分岐管６３、第二分岐管６４及び第三分岐管６５である。
前記第一分岐管６３に、前記第２採血チューブＴ１．２の第１端部を接続し、
前記第二分岐管６４に、前記第１採血チューブＴ１．１の第２端部を接続し、
前記第三分岐管６５に、前記初流血液チューブＴ２の第１端部を接続している。
第２グループ形態のスライド式流路切替手段（６０Ａ、６０Ｂ、６０Ｃ、６０Ｆ）の前記外筒（６１）の二つの分岐管（６３、６５）は、第一分岐管６３及び第三分岐管６５である。
前記内筒６２の分岐管６４は、第二分岐管６３である。
前記第一分岐管６３に、前記第２採血チューブＴ１．２の第１端部を接続し、
前記第二分岐管６４に、前記第１採血チューブＴ１．１の第２端部を接続し、
前記第三分岐管６５に、前記初流血液チューブＴ２の第１端部を接続している。
【００２７】
［実施形態１：スライド式流路切替手段］
本発明に使用する流路切替手段Ｖの一例として、例えば図２から図６に例示するスライド式流路切替手段６０が挙げられる。
図２から図６は、実施形態１のスライド式流路切替手段６０の概略とその使用例の一例を示す。
［外筒６１］
外筒６１は、図２、５に例示するように、上部（第１長手方向）と下部（第２長手方向）が開放され、略下部（第２長手方向）に係合部（溝）６１ｂを形成している。
外筒６１の側部方向（第１側部方向と第２側部方向）には、第一から第三の三つの分岐管６３、６４、６５を、実質的に等間隔（距離ともいう）Ｌ１で装着している。
当該各分岐管６３、６４、６５は、それぞれ開口部６３ａ、６４ａ、６５ａを経て、外筒６１の内部空間［内筒６２を装着した場合は、内筒６２の凹部６２ａ（液体流路ともいう）］と連通している。
分岐管６３、６４、６５の装着位置の略中心は、実質的に各開口部６３ａ、６４ａ、６５ａの略中心と同じである。このため各開口部６３ａ、６４ａ、６５ａも実質的に等間隔（距離ともいう）Ｌ１で形成している。
また係合部（溝）６１ｂの深さＬ５は、第一から第３開口部６３ａ、６４ａ、６５ａの各間隔（距離）Ｌ１と実質的に同じとなるよう形成している。
【００２８】
［内筒６２］
図２、５、６に例示するように、内筒６２の略下部（第２長手方向）で、かつ側部方向に、係合部（凸部）６２ｂを形成している。
内筒６２は、略中央部から上部（第１長手方向）の間に凹部６２ａを形成している。
凹部６２ａは、外筒６１内に装着すると、図２に例示するように当該凹部６２ａが液体流路として機能する。
凹部６２ａの上部（第１長手方向）には、二つの第一パッキング６６と第二パッキング６７を装着している。これらの間隔（距離ともいう）Ｌ２は、前記外筒６１の各開口部６３ａ、６４ａ、６５ａ間の間隔（距離ともいう）Ｌ１と実質的に同じに形成している。
さらに凹部６２ａの下部（第２長手方向）には、三つの第三パッキング６８、第四パッキング６９及び第五パッキング７０を装着している。
【００２９】
これらの間隔（距離Ｌ２）は、前記外筒６１の各開口部６３ａ、６４ａ、６５ａ間の間隔（距離Ｌ１）と実質的に同じに形成している。
また係合部（凸部）６２ｂの幅Ｗ１は、外筒６１の係合部（溝）６１ｂの幅Ｗ２より若干狭く形成している。
また第二パッキング６７と第三パッキング６８の間隔（距離ともいう）Ｌ３は、前記外筒６１の各開口部６３ａ、６４ａ、６５ａ間の間隔（距離Ｌ１）より実質的に約二倍の間隔（距離）で形成している。
図２から図６の例示では、内筒６２の係合部６２ｂは凸部にしているが、溝にしてもよい。この場合、外筒６１の係合部６１ｂ（溝）は、凸部に形成する。
なお内筒６２の上部（第１長手方向）と下部（第２長手方向）は、閉塞していてもよいし、開放していてもよい。
【００３０】
図２は、内筒６２を外筒６１内に挿入した初期状態（第一の状態）を示す。
第一開口部６３ａは第一パッキング６６と第二パッキング６７との間にある。
第二開口部６４ａ及び第三開口部６５ａは第二パッキング６７と第三パッキング６８との間にある。
このとき、外筒６１下端（第２長手方向端部）から係合部（凸部）６２ｂ上端（第１長手方向端部）の間隔（距離ともいう）Ｌ４は第一から第三開口部６３ａ、６４ａ、６５ａの間隔（距離ともいう）Ｌ１と実質的に同じである。
第一分岐管６３の流路は、第一パッキング６６と第二パッキング６７により、第二分岐管６４と第三分岐管６５の流路から隔絶されているため閉塞状態である。
第二分岐管６４と第三分岐管６５の流路は、第二パッキング６７と第三パッキング６８との間に形成されている流路６２ａによって連通している。
【００３１】
図３は、図２の第一の状態から内筒６２を上方向（第１長手方向）にスライドさせ、内筒６２の係合部６２ｂの上端（第１長手方向端部）を、外筒６１の下端（第２長手方向端部）に接触するまで挿入した状態（第二の状態）を示す。
このとき第一開口部６３ａ及び第二開口部６４ａは第二パッキング６７と第三パッキング６８との間にある。第三開口部６５ａは第三パッキング６８と第四パッキング６９との間にある。
第一分岐管６３と第二分岐管６４の流路は、第二パッキング６７と第三パッキング６８との間に形成されている液体通路６２ａによって連通している。
第三分岐管６５の流路は第三パッキング６８と第四パッキング６９により、第一分岐管６３と第二分岐管６４の流路から隔絶されているため閉塞状態である。
【００３２】
図４は、図３の第二の状態から内筒６２を、第１側部方向に回動させ係合部（凸部）６２ｂを係合部（溝）６１ｂに係合させて、係合部（溝）６１ｂの上端（第１長手方向端部）に係合部（凸部）６２ｂの上端（第１長手方向端部）が接触するまで挿入した状態（第三の状態）を示す。
このとき外筒６１の下端（第２長手方向端部）から係合部（溝）６１ｂの上端（第１長手方向端部）までの長さ［（係合部（溝）６１ｂの深さ］Ｌ５は第一から第３開口部６３ａ、６４ａ、６５ａの間隔（距離ともいう）Ｌ１と実質的に同じである。
第一開口部６３ａは、第二パッキング６７と第三パッキング６８との間にある。
第二開口部６４ａは、第三パッキング６８と第四パッキング６９との間にある。
第三開口部６５ａは、第四パッキング６９と第五パッキング７０との間にある。
このとき第一分岐管６３と第二分岐管６４の流路は、第三パッキング６８により隔絶され、第二分岐管６４と第三分岐管６５の流路は、第四パッキング６９により隔絶されているため連通せず、それぞれが閉塞した状態である。
【００３３】
例えば、第二分岐管６４の流路から第一分岐管６３の流路または第三分岐管６５の流路へ液体が流れることを切り替えるとすると、図２では、第二分岐管６４の流路から第三分岐管６５の流路へ流れ、図３では、第二分岐管６４の流路から第一分岐管６３の流路へ流れる。図４ではすべての流路が閉塞する。
図４で内筒６２を外筒６１へ挿入すると内筒６２がすべて外筒６１に覆われるため内筒６２を抜き取る方向への操作を禁止できる。これにより、いったん閉塞した通路が再び解放されることを防止することができる。
【００３４】
［採血器具１の使用例］
流路切替手段Ｖとして、スライド式流路切替手段６０を使用した場合の一例について説明する。図２から図４に例示するように、第一分岐管６３は、第２採血チューブＴ１．２を介して、採血バッグ４に接続している。
第二分岐管６４は、第１採血チューブＴ１．１を介して、採血針８に接続している。
第三分岐管６５は、初流血液チューブＴ２を介して、採血初流除去バッグＢに接続している。
【００３５】
（１）初流血液の採血：
流路切替手段Ｖ（スライド式流路切替手段６０）の流路を、図２に例示するように、初期状態（第一の状態）に調整する。
第二分岐管６４と第三分岐管６５の流路を、第二パッキング６７と第三パッキング６８との間に形成されている流路６２ａによって連通した状態にする。
他方、第一分岐管６３の流路を第一パッキング６６と第二パッキング６７により第二分岐管６４と第三分岐管６５の流路から隔絶し、閉塞状態にする。
すなわち、採血針８側の第１採血チューブＴ１．１と初流血液チューブＴ２は、スライド式流路切替手段６０の第二分岐管６４、第二開口部６４ａ、流路６２ａ、第三開口部６５ａ、第三分岐管６５を経て、連通させた状態にする。
他方、第一分岐管６３の流路を、第二分岐管６４と第三分岐管６５の流路と遮断した状態にする。
供血者に採血針８を穿刺して、初流血液を採血針８、第１採血チューブＴ１．１、スライド式流路切替手段６０の第二分岐管６４、第二開口部６４ａ、流路６２ａ、第三開口部６５ａ、第三分岐管６５、初流血液チューブＴ２を経て、採血初流除去バッグＢに採取する。
【００３６】
（２）採血バッグ４への血液の採取：
初流血液の採取が規定量に達した時点で、内筒６２を上方向（第１長手方向）にスライドさせ、流路切替手段Ｖ（スライド式流路切替手段６０）の流路を、図３に例示するように第二の状態に調整する。
第一分岐管６３と第二分岐管６４の流路を、第二パッキング６７と第三パッキング６８との間に形成されている液体通路６２ａによって連通させた状態にする。
他方、第三分岐管６５の流路を、第三パッキング６８と第四パッキング９により、第一分岐管６３と第二分岐管６４の流路から隔絶して、閉塞状態にする。
すなわち採血針８側の第１採血チューブＴ１．１と、採血バッグ４側の第２採血チューブＴ１．２は、スライド式流路切替手段６０の第二分岐管６４、第二開口部６４ａ、流路６２ａ、第一開口部６３ａ、第１分岐管６３を経て、連通させた状態にする。
他方、第三分岐管６５の流路を、第一分岐管６３と第二分岐管６４の流路と遮断した状態にする。
初流血液採取後の血液を、採血針８から第１採血チューブＴ１．１、スライド式流路切替手段６０の第二分岐管６４、第二開口部６４ａ、流路６２ａ、第一開口部６３ａ、第一分岐管６３、第２採血チューブＴ１．２を経て、採血バッグ４に採取する。
【００３７】
（３）最後に、図４の第三の状態ように、内筒６２を、第１側部方向に回動させ係合部（凸部）６２ｂを係合部（溝）６１ｂに係合させて、係合部（溝）６１ｂの上端（第１長手方向端部）に係合部（凸部）６２ｂの上端（第１長手方向端部）が接触するまで挿入する。
（第１長手方向にスライドさせる。）
第一分岐管６３と第二分岐管６４の流路を、第三パッキング６８により隔絶し、第二分岐管６４と第三分岐管６５の流路を、第四パッキング６９により隔絶し、閉塞状態にする。
すなわち、採血針８側の第１採血チューブＴ１．１と採血バッグ４側の第２採血チューブＴ１．２、初流血液チューブＴ２、流路切替手段Ｖ（スライド式流路切替手段６０）の第一分岐管６３、第二分岐管６４、第三分岐管６５の各流路を全て閉塞する。
採血初流除去バッグＢのバッグ本体２１の血液溜内に貯留した血液を、バッグ本体２１の初流血液の出口２４に接続している真空採血管ホルダ２２から真空採血管へと採取する。
【００３８】
［その他のスライド式流路切替手段］
図２から図５に例示した実施形態１のスライド式流路切替手段６０の代わりに、例えば、
（１）実施形態２：図７（Ａ）、（Ｂ）、（Ｃ）から図８（Ａ）、（Ｂ）、（Ｃ）、
（２）実施形態３：図９（Ａ）、（Ｂ）、（Ｃ）から図１０（Ａ）、（Ｂ）、（Ｃ）
（３）実施形態４：図１１（Ａ）、（Ｂ）から図１２（Ａ）、（Ｂ）
（４）実施形態５：図１３（Ａ）、（Ｂ）から図１４（Ａ）、（Ｂ）
（５）実施形態６：図１５（Ａ）、（Ｂ）、（Ｃ）から図１６（Ａ）、（Ｂ）、（Ｃ）
（６）実施形態７：図１７（Ａ）、（Ｂ）、（Ｃ）から図１８（Ａ）、（Ｂ）、（Ｃ）
に例示したスライド式流路切替手段（６０Ａ、６０Ｂ、６０Ｃ、６０Ｄ、６０Ｅ）も使用できる。
図７、９、１１、１３、１７は断面図、図８、図１０、図１２、図１４、図１６、図１８は外観斜視図である。
【００３９】
［実施形態２：スライド式流路切替手段６０Ａ］
以下、スライド式流路切替手段６０Ａの説明で、使用する符号の複雑化を回避するために、スライド式流路切替手段６０と実質的に同じ機能を有する部分は、図２から図６に例示したスライド式流路切替手段６０と同じ符号を使用する。
図７（図８）のスライド式流路切替手段６０Ａは、外筒６１と内筒６２とから構成され、内筒６２は外筒６１内を第１長手方向にスライドし、さらに側部方向に回動できるように装着している。
［外筒６１］
外筒６１は、図７から図８に例示するように、上部（第１長手方向）［上端部（第１長手方向端部）］は、上部空間Ｓの空気抜用（圧逃用）の孔７１を形成している。当該孔７１以外は実質的に閉塞し、下部（第２長手方向）は開放している。
略下部（第２長手方向）でかつ、側部方向に係合部（溝）６１ｂを形成している。
外筒６１の側部方向（第１側部方向）には、第一と第三の二つの分岐管６３、６５を間隔（距離ともいう）Ｌ１で装着し、当該各分岐管６３、６５は、それぞれ開口部６３ａ、６５ａを経て、外筒６１の内部空間［内筒６２を装着した場合は、内筒６２の通路６２ｄ］と連通している。
分岐管６３、６５の装着位置の略中心は、実質的に各開口部６３ａ、６５ａの略中心と同じである。このため各開口部６３ａ、６５ａも実質的に同じ間隔（距離ともいう）Ｌ１で形成している。
また係合部（溝）６１ｂの深さＬ５は、第一と第三開口部６３ａ、６５ａの間隔（距離）Ｌ１と実質的に同じとなるよう形成している。
【００４０】
［内筒６２］
内筒６２の略下部（第２長手方向）で、かつ側部方向に、係合部（凸部）６２ｂを形成している。
内筒６２内部には、下部（第２長手方向）から略上部（第１長手方向）の間に流路６２ｃを形成している。内筒６２は、外筒６１内に装着すると、略上部（第１長手方向）の開口部６２ｄを経て、外筒６１の第一開口部６３ａまたは第三開口部６５ａと連通する。
内筒６２の下部（第２長手方向）には、第二分岐管６４を形成している。第二分岐管６４は、第二開口部６４ａを経て内筒６２の流路６２ｃと連通する。
開口部６２ｄの上部（第１長手方向）には、二つの第一パッキング６６と第二パッキング６７を装着している。
これらの間隔（距離ともいう）Ｌ２は、前記外筒６１の各開口部６３ａ、６５ａ間の間隔（距離ともいう）Ｌ１と実質的に同じに形成している。
さらに開口部６２ｄの下部（第２長手方向）には、三つの第三パッキング６８、第四パッキング６９及び第五パッキング７０を装着している。
これらの間隔（距離Ｌ２）は、前記外筒６１の各開口部６３ａ、６５ａ間の間隔（距離Ｌ１）と実質的に同じに形成している。
また係合部（凸部）６２ｂの幅Ｗ１は、外筒６１の係合部（溝）６１ｂの幅Ｗ２より若干狭く形成されている。
図７（８）の例示では、内筒６２の係合部６２ｂは凸部にしているが、溝にしてもよい。この場合、外筒６１の係合部６１ｂ（溝）は、凸部に形成する。なお内筒６２の上部（第１長手方向）は閉塞している。
【００４１】
図７（図８）（Ａ）は、内筒６２を外筒６１内に挿入した初期状態（第一の状態）を示す。
第一開口部６３ａは第一パッキング６６と第二パッキング６７との間にある。第三開口部６５ａは第二パッキング６７と第三パッキング６８との間にある。
第二分岐管６４と第三分岐管６５の流路は、第二開口部６４ａ、流路６２ｃ、開口部６２ｄ、第三開口部６５ａを経て、連通している。
第一分岐管６３の流路は、第一パッキング６６と第二パッキング６７により、第二分岐管６４と第三分岐管６５の流路から隔絶されているため閉塞状態である。
このとき、外筒６１下端（第２長手方向端部）から係合部（凸部）６２ｂ上端（第１長手方向端部）の間隔（距離ともいう）Ｌ４は第一開口部６３ａと第三開口部の間隔（距離ともいう）Ｌ１と実質的に同じである。
【００４２】
図７（図８）（Ｂ）は、（Ａ）の状態（第一の状態）から内筒６２を上方向（第１長手方向）にスライドさせ、内筒６２の係合部６２ｂの上端（第１長手方向端部）を外筒６１の下端（第２長手方向端部）に接触するまで挿入した状態（第二の状態）を示す。
第一開口部６３ａは第二パッキング６７と第三パッキング６８との間にある。第三開口部６５ａは第三パッキング６８と第四パッキング６９との間にある。
第一分岐管６３と第二分岐管６４の流路は、第一開口部６３ａ、開口部６２ｄ、流路６２ｃ、第二開口部６４ａを経て、連通している。
第三分岐管６５の流路は第三パッキング６８と第四パッキング６９により、第一分岐管６３と第二分岐管６４の流路から隔絶されているため閉塞状態である。
【００４３】
図７（図８）（Ｃ）は、（Ｂ）の状態から内筒６２を、第１側部方向に、回動させ係合部（凸部）６２ｂを係合部（溝）６１ｂに係合させて、係合部（溝）６１ｂの上端（第１長手方向端部）に係合部（凸部）６２ｂの上端（第１長手方向端部）が接触するまで挿入した状態（第三の状態）を示す。
このとき外筒６１の下端（第２長手方向端部）から係合部（溝）６１ｂの上端（第１長手方向端部）までの長さ（係合部（溝）６１ｂの深さ）Ｌ５は第一開口部６３ａと第三開口部６５ａの間隔（距離ともいう）Ｌ１と実質的に同じである。
第一開口部６３ａは第三パッキング６８と第四パッキング６９との間にある。第三開口部６５ａは第四パッキング６９と第五パッキング７０との間にある。
このとき第一分岐管６３と第二分岐管６４の流路は、第三パッキング６８により隔絶され、第二分岐管６４と第三分岐管６５の流路は、第三パッキング６８と第四パッキング６９により隔絶されているため連通せず、それぞれが閉塞した状態である。
【００４４】
例えば、第二分岐管６４の流路から第一分岐管６３の流路または第三分岐管６５の流路へ液体が流れることを切り替えるとすると、（Ａ）では、第二分岐管６４の流路から第三分岐管６５の流路へ流れ、（Ｂ）では、第二分岐管６４の流路から第一分岐管６３の流路へ流れる。（Ｃ）ではすべての流路が閉塞する。
（Ｃ）で内筒６２を外筒６１へ挿入すると内筒６２がすべて外筒６１に覆われるため内筒６２を抜き取る方向への操作を禁止できる。これにより、いったん閉塞した通路が再び解放されることを防止することができる。
【００４５】
［実施形態３：スライド式流路切替手段６０Ｂ］
以下、スライド式流路切替手段６０Ｂの説明で、使用する符号の複雑化を回避するために、スライド式流路切替手段６０、６０Ａと実質的に同じ機能を有する部分は、スライド式流路切替手段６０、６０Ａと同じ符号を使用する。
図９（図１０）のスライド式流路切替手段６０Ｂは、外筒６１と内筒６２とから構成され、内筒６２は外筒６１内に第１長手方向にスライドし、さらに側部方向に回動できるように装着している。
図７（図８）のスライド式流路切替手段６０Ａは、内筒６２の下部［第２長手方向（内筒６２を第１長手方向に押す側）］に第１採血チューブＴ１．１を接続する構造となっている。このため、内筒６２を第１長手方向に押す（スライドさせる）ときに、第１採血チューブＴ１．１が障害になる。
これに対して、図９（図１０）のスライド式流路切替手段６０Ｂは、内筒６２の上部（第１長手方向）に第１採血チューブＴ１．１を接続する構造とし、下部［第２長手方向（内筒６２を第１長手方向に押す側）］に第１採血チューブＴ１．１を接続しないので、操作性が向上する。
【００４６】
［外筒６１］
外筒６１は、図９から図１０に例示するように、上部（第１長手方向）と下部（第２長手方向）は開放している。略下部（第２長手方向）でかつ、側部方向に係合部（溝）６１ｂを形成している。
外筒６１の側部方向（第１側部方向）には、第一と第三の二つの分岐管６３、６５を間隔（距離ともいう）Ｌ１で装着し、当該各分岐管６３、６５は、それぞれ開口部６３ａ、６５ａを経て、外筒６１の内部空間［内筒２を装着した場合は、内筒２の通路６２ｄ］と連通している。
分岐管６３、６５の装着位置の略中心は、実質的に各開口部６３ａ、６５ａの略中心と同じである。このため各開口部６３ａ、６５ａも実質的に同じ間隔（距離ともいう）Ｌ１で形成している。
また係合部（溝）６１ｂの深さＬ５は、第一と第三開口部６３ａ、６５ａの間隔（距離）Ｌ１と実質的に同じとなるよう形成している。
【００４７】
［内筒６２］
内筒６２の略下部（第２長手方向）で、かつ側部方向には、係合部（凸部）６２ｂを形成している。
内筒６２内部には、上部（第１長手方向）から略中央部との間に流路６２ｃを形成している。内筒６２を外筒６１内に装着すると、流路６２ｃ下部（第２長手方向）の開口部６２ｄを経て、外筒６１の第一開口部６３ａまたは第三開口部６５ａと連通する。
内筒６２の上部（第１長手方向）には、第二分岐管６４を形成している。第二分岐管６４は、第二開口部６４ａを経て流路６２ｃと連通する。
開口部６２ｄの上部（第１長手方向）には、二つの第一パッキング６６と第二パッキング６７を装着している。これらの間隔（距離ともいう）Ｌ２は、前記外筒１の各開口部６３ａ、６５ａ間の間隔（距離ともいう）Ｌ１と実質的に同じに形成している。
さらに開口部６２ｄの下部（第２長手方向）には、三つの第三パッキング６８、第四パッキング６９及び第五パッキング７０を装着している。
これらの間隔（距離Ｌ２）は、前記外筒６１の各開口部６３ａ、６５ａ間の間隔（距離Ｌ１）と実質的に同じに形成している。
また係合部（凸部）６２ｂの幅Ｗ１は、外筒６１の係合部（溝）６１ｂの幅Ｗ２より若干狭く形成している。
図９から１０の例示では、内筒６２の係合部６２ｂは、凸部にしているが、溝にしてもよい。この場合、外筒６１の係合部６１ｂ（溝）は、凸部に形成する。なお内筒６２の下部（第２長手方向）は閉塞されている。
【００４８】
図９（図１０）（Ａ）は、内筒６２を外筒６１内に挿入した初期状態（第一の状態）を示す。
第一開口部６３ａは第一パッキング６６と第二パッキング６７との間にある。
第三開口部６５ａは第二パッキング６７と第三パッキング６８との間にある。
第二分岐管６４と第三分岐管６５の流路は、第二開口部６４ａ、流路６２ｃ、開口部６２ｄ、第三開口部６５ａを経て、連通している。
第一分岐管６３の流路は、第一パッキング６６と第二パッキング６７により、第二分岐管６４と第三分岐管６５の流路から隔絶されているため閉塞状態である。
このとき、外筒６１下端（第２長手方向）から係合部（凸部）６２ｂ上端（第１長手方向）の間隔（距離ともいう）Ｌ４は第一開口部６３ａと第三６５ａの間隔（距離ともいう）Ｌ１と実質的に同じである。
【００４９】
図９（図１０）（Ｂ）は、（Ａ）の状態（第一の状態）から内筒６２を上方向（第１長手方向）にスライドさせ、内筒６２の係合部６２ｂの上端（第１長手方向端部））を外筒６１の下端（第２長手方向端部）に接触するまで挿入した状態（第二の状態）を示す。
第一開口部６３ａは第二パッキング６７と第三パッキング６８との間にある。第三開口部６５ａは第三パッキング６８と第四パッキング６９との間にある。
第一分岐管６３と第二分岐管６４の流路は、第一開口部６３ａ、開口部６２ｄ、流路６２ｃ、第二開口部６４ａを経て、連通している。
第三分岐管６５の流路は、第三パッキング６８により、第一分岐管６３と第二分岐管６４の流路から隔絶されているため閉塞状態である。
【００５０】
図９（図１０）（Ｃ）は、（Ｂ）の状態（第二の状態）から内筒６２を第１側部方向に回動させ、係合部（凸部）６２ｂを係合部（溝）６１ｂに係合させて、係合部（溝）６１ｂの上端（第１長手方向端部）に係合部（凸部）６２ｂの上端（第１長手方向端部）が接触するまで挿入した状態（第三の状態）を示す。
このとき外筒６１の下端（第２長手方向端部）から係合部（溝）６１ｂの上端（第１長手方向端部）までの長さ（係合部（溝）６１ｂの深さ）Ｌ５は第一開口部６３ａと第三開口部６５ａの間隔（距離ともいう）Ｌ１と実質的に同じである。
第一開口部６３ａは第三パッキング６８と第四パッキング６９との間にある。第三開口部６５ａは第四パッキング６９と第五パッキング７０との間にある。
このとき第一分岐管６３と第二分岐管６４の流路は、第三パッキング６８に隔絶され、第二分岐管６４と第三分岐管６５の流路は、第三パッキング６８と第四パッキング６９により隔絶されているため連通せず、それぞれが閉塞した状態である。
【００５１】
例えば、第二分岐管６４の流路から第一分岐管６３の流路または第三分岐管６５の流路へ液体が流れることを切り替えるとすると、（Ａ）では、第二分岐管６４の流路から第三分岐管６５の流路へ流れ、（Ｂ）では、第二分岐管６４の流路から第一分岐管６３の流路へ流れる。（Ｃ）ではすべての流路が閉塞する。
（Ｃ）で内筒６２を外筒６１へ挿入すると内筒６２がすべて外筒６１に覆われるため内筒６２を抜き取る方向への操作を禁止できる。これにより、いったん閉塞した通路が再び解放されることを防止することができる。
【００５２】
［実施形態４：スライド式流路切替手段６０Ｃ］
以下、スライド式流路切替手段６０Ｃの説明で、使用する符号の複雑化を回避するために、スライド式流路切替手段６０、６０Ａ、６０Ｂと実質的に同じ機能を有する部分は、スライド式流路切替手段６０、６０Ａ等と同じ符号を使用する。
図１１（図１２）のスライド式流路切替手段６０Ｃは、スライド式流路切替手段６０、６０Ａ、６０Ｂの第一パッキング６６と第五パッキング７０を省略したものである。
スライド式流路切替手段６０Ｃは、外筒６１と内筒６２とから構成され、内筒６２は外筒６１内に、第１長手方向にスライドできるように装着している。
［外筒６１］
外筒６１は、図１１から図１２に例示するように、上部（第１長手方向）は閉塞し、下部（第２長手方向）は開放している。
外筒６１の側部方向（第１側部方向）には、第一と第三の二つの分岐管６３、６５を実質的に間隔（距離ともいう）Ｌ１で装着し、当該各分岐管６３、６５は、それぞれ開口部６３ａ、６５ａを経て、外筒６１の内部空間［内筒２を装着した場合は、内筒２の通路６２ｃ］と連通している。
分岐管６３、６５の装着位置の略中心は、実質的に各開口部６３ａ、６５ａの略中心と同じである。このため各開口部６３ａ、６５ａも実質的に同じ間隔（距離ともいう）Ｌ１で形成している。
【００５３】
［内筒６２］
内筒６２内部には、下部（第２長手方向）から略上部（第１長手方向）の間に流路６２ｃを形成している。内筒６２は、外筒６１内に装着すると、略上部（第１長手方向）の開口部６２ｄを経て、外筒６１の第一開口部６３ａまたは第三開口部６５ａと連通する。
内筒６２の下部（第２長手方向）には、第二分岐管６４を形成し、第二開口部６４ａを経て流路６２ｃと連通する。
開口部６２ｄの上部には、第二パッキング６７を装着している。さらに開口部６２ｄの下部には、第三パッキング６８、第四パッキング６９を装着している。
これらの間隔（距離Ｌ２）は、前記外筒６１の各開口部６３ａ、６５ａ間の間隔（距離Ｌ１）と実質的に同じに形成している。なお内筒６２の上部（第１長手方向）は閉塞されている。
【００５４】
図１１（図１２）（Ａ）は、内筒６２を外筒６１内に挿入した初期状態（第一の状態）を示す。
第一開口部６３ａは第二パッキング６７の上部（第１長手方向）にある。
第三開口部６５ａは第三パッキング６８と第四パッキング６９との間にある。
第二分岐管６４と第三分岐管６５の流路は、第二開口部６４ａ、流路６２ｃ、開口部６２ｄ、第三開口部６５ａを経て、連通している。
第一分岐管６３の流路は、第二パッキング６７により、第二分岐管６４と第三分岐管６５の流路から隔絶されているため閉塞状態である。
【００５５】
図１１（図１２）（Ｂ）は、（Ａ）の状態（第一の状態）から内筒６２を上方向（第１長手方向）にスライドさせ、内筒６２の上端（第１長手方向端部）が外筒６１の上端（第１長手方向端部）に接触するまで挿入した状態を示す。
第一開口部６３ａは第二パッキング６７と第三パッキング６８との間にある。第三開口部６５ａは第三パッキング６８と第四パッキング６９との間にある。
第一分岐管６３と第二分岐管６４の流路は、第一開口部６３ａ、開口部６２ｄ、流路６２ｃ、第二開口部６４ａを経て、連通している。
第三分岐管６５の流路は第三パッキング６８により、第一分岐管６３と第二分岐管６４の流路から隔絶されているため閉塞状態である。
【００５６】
例えば、第二分岐管６４の流路から第一分岐管６３の流路または第三分岐管６５の流路へ液体が流れることを切り替えるとすると、（Ａ）では、第二分岐管６４の流路から第三分岐管６５の流路へ流れ、（Ｂ）では、第二分岐管６４の流路から第一分岐管６３の流路へ流れる。
【００５７】
［実施形態５：スライド式流路切替手段６０Ｄ］
以下、スライド式流路切替手段６０Ｄの説明で、使用する符号の複雑化を回避するために、スライド式流路切替手段６０、６０Ａ、６０Ｂ、６０Ｃと実質的に同じ機能を有する部分は、スライド式流路切替手段６０、６０Ａ、６０Ｂ、６０Ｃと同じ符号を使用する。
図１３（図１４）のスライド式流路切替手段６０Ｄは、スライド式流路切替手段６０、６０Ａ、６０Ｂの第一パッキング６６、第五パッキング７０を省略したものである。スライド式流路切替手段６０Ｄは、外筒６１と内筒６２とから構成され、内筒６２は外筒６１内で第１長手方向にスライドできるように装着している。
【００５８】
［外筒６１］
外筒６１は、図１３、１４に例示するように、上部（第１長手方向）が閉塞され下部（第２長手方向）は開放されている。
外筒６１の側部方向（第１側部方向と第２側部方向）には、第一から第三の三つの分岐管６３、６４、６５が実質的に等間隔（距離ともいう）Ｌ１で装着され、当該各分岐管６３、６４、６５は、それぞれ開口部６３ａ、６４ａ、６５ａを経て、外筒６１の内部空間［内筒６２を装着した場合は、内筒６２の凹部６２a（流路）］と連通している。
分岐管６３、６４、６５の装着位置の略中心は、実質的に各開口部６３ａ、６４ａ、６５ａの略中央と同じである。このため各開口部６３ａ、６４ａ、６５ａも実質的に等間隔（距離ともいう）Ｌ１で形成している。
【００５９】
［内筒６２］
内筒６２の略中央部から上部（第１長手方向）の間に凹部６２ａを形成している。
内筒６２は、外筒６１内に装着すると、当該凹部６２ａが液体流路として機能する。
凹部６２ａの上部（第１長手方向）には、第二パッキング６７を装着している。さらに凹部６２ａの下部（第２長手方向）には、第三パッキング６８、第四パッキング６９を装着している。
これらの間隔（距離Ｌ２）は、前記外筒６１の各開口部６３ａ、６４ａ、６５ａ間の間隔（距離Ｌ１）と実質的に同じに形成している。
なお内筒６２の上部（第１長手方向）は閉塞したほうが好ましく、下部（第２長手方向）は閉塞していてもよいし開放していてもよい。
【００６０】
図１３（１４）（Ａ）は、内筒６２を外筒６１内に挿入した初期状態（第一の状態）を示す。
第一開口部６３ａは第二パッキング６７の上部（第１長手方向）にある。
第二開口部６４ａ及び第三開口部６５ａは第二パッキング６７と第三パッキング６８との間にある。
第一分岐管６３の流路は、第一パッキング６６と第二パッキング６７により、第二分岐管６４と第三分岐管６５の流路から隔絶されているため閉塞状態である。
第二分岐管６４と第三分岐管６５の流路は、第二パッキング６７と第三パッキング６８との間に形成されている流路６２ａによって連通している。
【００６１】
図１３（１４）（Ｂ）は、（Ａ）の状態（第一の状態）から内筒６２を上方向（第１長手方向）にスライドさせ、内筒６２の上端（第１長手方向端部）が外筒６１の上端（第１長手方向端部）に接触するまで挿入した状態（第二の状態）を示す。
第一開口部６３ａ及び第二開口部６４ａは第二パッキング６７と第三パッキング６８との間にある。
第三開口部６５ａは第三パッキング６８と第四パッキング６９の間にある。
第一分岐管６３と第二分岐管６４の流路は、第二パッキング６７と第三パッキング６８との間に形成されている液体通路６２ａによって連通している。
第三分岐管６５の流路は第三パッキング６８により、第一分岐管６３と第二分岐管６４の流路から隔絶されているため閉塞状態である。
例えば、第二分岐管６４の流路から第一分岐管６３の流路または第三分岐管６５の流路へ液体が流れることを切り替えるとすると、図１３（１４）（Ａ）では、第二分岐管６４の流路から第三分岐管６５の流路へ流れ、図１３（１４）（Ｂ）では、第二分岐管６４の流路から第一分岐管６３の流路へ流れる。
【００６２】
［実施形態６：スライド式流路切替手段６０Ｅ］
図１５（１６）スライド式流路切替手段６０Ｅは、図２から図６のスライド式流路切替手段６０の第一パッキング６６を省略したものである。
図１５（１６）（Ａ）は、図２、図１５（１６）（Ｂ）は、図３、図１４（１５）（Ｃ）は、図４の状態に対応する。
スライド式流路切替手段６０Ｅのスライド式流路切替手段６０と異なる点は、以下のとおりである。
スライド式流路切替手段６０Ｅは、外筒６１の上部（第１長手方向）を閉塞しているため、この状態から第一分岐管６３、第二分岐管６４及び第三分岐管６５の全ての流路が「閉塞状態」になるまで押し込もうとすると、外筒６１上部（第１長手方向）の空間Ｓが圧縮されて陽圧になり内筒６２が押し戻されてしまう。そこで、上部（第１長手方向）の空間が圧縮され圧縮されて陽圧にならないように外筒６１上部（第１長手方向）に「逃げ空間ＳＮ」を設けている。
これら以外の構造、操作方法は、スライド式流路切替手段６０と実質的に同じであるから、詳細な説明は省略する。
【００６３】
［実施形態７：スライド式流路切替手段６０Ｆ］
図１７（１８）スライド式流路切替手段６０Ｆは、図７（８）のスライド式流路切替手段６０Ａの第一パッキング６６を省略したものである。
図１７（１８）（Ａ）は、図７（８）の状態に対応する。
スライド式流路切替手段６０Ｆのスライド式流路切替手段６０Ａと異なる点は、スライド式流路切替手段６０Ｅと同様の理由により、外筒６１上側部（第１長手方向、第１長手方向で第１側部方向）に「逃げ空間ＳＮ」を設けた点である。
これら以外の構造、操作方法は、スライド式流路切替手段６０Ａと実質的に同じであるから、詳細な説明は省略する。
【００６４】
スライド式流路切替手段６０Ａ、６０Ｂ、６０Ｅ、６０Ｆは、スライド式流路切替手段６０にかえて、図１の採血器具１に使用する場合、前記段落［００３４］〜［００３７］で説明したように、スライド式流路切替手段６０と実質的に同じ様に使用できるので、詳細な説明は省略する。
スライド式流路切替手段６０Ｃ、６０Ｄは、スライド式流路切替手段６０、６０Ａ、６０Ｂ、６０Ｅ、６０Ｆと比較して、第一分岐管６３、第二分岐管６４、第三分岐管６５の全ての流路を同時に閉塞できないので、図１の採血器具１に使用する場合、採血針８側または採血バッグ側４のどちらか一方のチューブＴ１の途中にクランプ等の流路閉塞手段を配置する。
【００６５】
スライド式流路切替手段６０、６０Ａ、６０Ｂ、６０Ｃ、６０Ｄ、６０Ｅ、６０Ｆにおいて、各パッキング６６、６７、６８、６９、７０は、液密性を維持できるものであれば何でも良く、外筒６１と内筒６２とは、別部品として、外筒６１と内筒６２の間に配置しても良いし、内筒６２に当初から一体成形しても良い。
スライド式流路切替手段（６０、６０Ａ、６０Ｂ、６０Ｃ、６０Ｄ、６０Ｅ、６０Ｆ）は、採血器具以外の医療分野、その他の一般産業分野にも利用できる。
第一グループ形態の実施形態１、５、６のスライド式流路切替手段（６０、６０Ｄ、６０Ｅ）は、
前記第一分岐管６３に、第２採血チューブＴ１．２にかえて、第一チューブを接続し、
前記第二分岐管６４に、第１採血チューブＴ１．１にかえて、第二チューブを接続し、
前記第三分岐管６５に、初流血液導入チューブＴ２にかえて、第三チューブを接続し、
前記内筒６２と前記外筒６１を、スライドないし回動することにより、
前記内筒６２の液体流路６２ａと、前記第一チューブ、前記第二チューブ及び前記第三チューブの液体流路の開閉を調整できる。
【００６６】
第二グループ形態の実施形態２、３、４、７のスライド式流路切替手段（６０Ａ、６０Ｂ、６０Ｃ、６０Ｆ）も
前記第一分岐管６３に、第２採血チューブＴ１．２にかえて、第一チューブを接続し、
前記第二分岐管６４に、第１採血チューブＴ１．１にかえて、第二チューブを接続し、
前記第三分岐管６５に、初流血液導入チューブＴ２にかえて、第三チューブを接続し、
前記内筒６２と前記外筒６１を、スライドないし回動することにより、
前記内筒６２の液体流路６２ｃと、前記第一チューブ、前記第二チューブ及び前記第三チューブの液体流路の開閉を調整できる。
【図面の簡単な説明】
【００６７】
【図１】本発明の採血器具の概略図
【図２】スライド式流路切替手段の一例を示す縦断面図
【図３】スライド式流路切替手段の一例を示す縦断面図
【図４】スライド式流路切替手段の一例を示す縦断面図
【図５】内筒を装着した外筒の斜視図
【図６】内筒の斜視図
【図７】スライド式流路切替手段の一例を示す縦断面図
【図８】スライド式流路切替手段の一例を示す外観斜視図
【図９】スライド式流路切替手段の一例を示す縦断面図
【図１０】スライド式流路切替手段の一例を示す外観斜視図
【図１１】スライド式流路切替手段の一例を示す縦断面図
【図１２】スライド式流路切替手段の一例を示す外観斜視図
【図１３】スライド式流路切替手段の一例を示す縦断面図
【図１４】スライド式流路切替手段の一例を示す外観斜視図
【図１５】スライド式流路切替手段の一例を示す縦断面図
【図１６】スライド式流路切替手段の一例を示す外観斜視図
【図１７】スライド式流路切替手段の一例を示す縦断面図
【図１８】スライド式流路切替手段の一例を示す外観斜視図
【符号の説明】
【００６８】
１ 採血器具
２ 採血初流除去セット
Ｂ 採血初流除去バッグ
３ 血液フィルタ
４ 採血バッグ
５ 第１子バッグ
６ 第２子バッグ
７ 赤血球保存液入バッグ
８ 採血針
１０ 針カバー１３ 接続管
２１ バッグ本体
２２ 真空採血管ホルダ
２３ （初流血液の）入口
２４ （初流血液の）出口
２５ （初流血液の）採取針
Ｖ 流路切替手段
Ｔ１    採血チューブ
Ｔ１．１  第１採血チューブ（第二接続チューブ）
Ｔ１．２  第２採血チューブ（第一接続チューブ）
Ｔ２ 初流血液導入チューブ（第三接続チューブ）
Ｔ３、Ｔ４、Ｔ５、Ｔ６ 連結チューブ
６０、６０Ａ、６０Ｂ、６０Ｃ、６０Ｄ、６０Ｅ、６０Ｆ スライド式流路切替手段
６１ 外筒
６１ｂ 係合部（溝）
６２ 内筒
６２ａ 凹部［（液体）流路］
６２ｂ 係合部（凸部）
６２ｃ 流路
６２ｄ 開口部
６３ 第一分岐管
６４ 第二分岐管
６５ 第三分岐管
６３ａ 第一開口部
６４ａ 第二開口部
６５ａ 第三開口部
６６ 第一パッキング
６７ 第二パッキング
６８ 第三パッキング
６９ 第四パッキング
７０ 第五パッキング
７１ 孔
Ｌ１ 第一開口部と第二開口部、第二開口部と第三開口部間の間隔（距離）
第一分岐管と第二分岐管、第二分岐管と第三分岐管の間隔（距離）
Ｌ２ 第一パッキングと第二パッキング、第三パッキングと第四パッキング、第四パッキングと第五パッキングの間隔（距離）
Ｌ３ 第二パッキングと第三パッキングの間隔（距離）
Ｌ４ 外筒１下端から係合部（凸部）２ｂの上端の間隔（距離）
Ｌ５ 外筒１の係合部（溝）１ｂの深さ
Ｗ１ 係合部（凸部）２ｂの幅
Ｗ２ 係合部（溝）１ｂ
Ｓ 空間
ＳＮ 逃げ空間
【図１２】
0005399458.tif 000002
【図１４】
0005399458.tif 000003
【図１６】
0005399458.tif 000004
【図１８】
0005399458.tif 000005
【図１】
0005399458.tif 000006
【図２】
0005399458.tif 000007
【図３】
0005399458.tif 000008
【図４】
0005399458.tif 000009
【図５】
0005399458.tif 000010
【図６】
0005399458.tif 000011
【図７】
0005399458.tif 000012
【図８】
0005399458.tif 000013
【図９】
0005399458.tif 000014
【図１０】
0005399458.tif 000015
【図１１】
0005399458.tif 000016
【図１３】
0005399458.tif 000017
【図１５】
0005399458.tif 000018
【図１７】
0005399458.tif 000019